(57)【特許請求の範囲】
【請求項１】
記録媒体磁気ディスクにデータを記録するための記録ヘッドと、
前記記録ヘッドによって記録されたトラックの少なくとも一方の側を消去するために前記記録ヘッドに隣接配置された消去ヘッドと、
２値信号から成る記録データを供給する記録データ供給手段と、
前記記録データが第１の値から第２の値に変化する毎に前記ディスクにおける磁化方向が切り換わるように前記記録データに基づいて記録電流を前記記録ヘッドに供給する記録電流供給手段と、
前記消去ヘッドに消去電流を供給する消去電流供給手段と、
前記記録電流に基づく前記記録ヘッドにおける記録磁束の洩れに起因した前記消去ヘッドの磁束の増加及び減少に対応して、記録データの切り替わりタイミングから所定時間、消去電流をそれぞれ減少及び増加させることによって、前記消去ヘッドの磁束の増加及び減少を打ち消すように前記消去電流を制御する消去電流制御回路とを備えた磁気ディスク装置。
【請求項２】
前記記録ヘッドは、第１の方向の磁束を発生させるための第１の巻線と、前記第１の方向と反対の第２の方向の磁束を発生させるための第２の巻線とを有するものであり、
前記記録電流供給手段は、フリップフロップと電源と第１及び第２のスイッチと抵抗を有し、
前記フリップフロップは前記記録データ供給手段に接続された入力端子と前記記録データが前記第１の値から前記第２の値に変化する毎に第１の状態から第２の状態に変化する出力信号を送出する第１の出力端子と前記第１の出力端子の出力信号と逆位相の出力信号を送出する第２の出力端子とを有し、
前記第１のスイッチは前記電源と前記第１の巻線との間に接続され且つ前記フリップフロップの前記第１の出力端子の信号に応答してオン・オフし、
前記第２のスイッチは前記電源と前記第２の巻線との間に接続され且つ前記フリップフロップの前記第２の出力端子の信号に応答してオン・オフし、
前記抵抗は前記第１及び第２の巻線の直列回路に対して並列に接続され、
前記消去電流制御回路は、前記フリップフロップの前記第１及び第２の出力端子に接続された第１及び第２のタイマ回路と、前記第１及び第２のタイマ回路に接続された消去電流設定回路とから成り、
前記第１及び第２のタイマ回路は前記記録磁束の洩れに起因した前記消去ヘッドの前記磁束の変化を打ち消すための前記補償電流を流す時間を決定するものであり、
前記消去電流設定回路は、前記第１及び第２のタイマ回路で決定された時間に、前記磁束の増加及び減少に対応して、記録データの切り替わりタイミングから消去電流をそれぞれ減少及び増加させることによって、前記消去ヘッドの磁束の増加及び減少を打ち消すように前記消去電流を制御するものであることを特徴とする請求項１記載の磁気ディスク装置。
【発明の詳細な説明】
【０００１】
【発明の属する技術分野】
本発明は、フロッピーディスク装置等の磁気ディスク装置に関する。
【０００２】
【従来の技術】
フロッピーディスク装置即ちＦＤＤの磁気ヘッド組立体１は、図１及び図２に示すように記録再生ヘッド２と消去ヘッド３とから成る。記録再生ヘッド２は記録再生用ギャップ４を有する磁気コア５と、このコア５に巻回された記録再生用巻線６とから成る。巻線６はセンタタップ７によって第１及び第２の巻線６ａ、６ｂに分割されている。
【０００３】
消去ヘッド３は、第１及び第２の消去ギャップ８、９を有する第１及び第２の消去コア１０、１１と、これ等のコア１０、１１に巻回された消去巻線１２とから成る。消去ヘッド３は周知のように記録トラックの両側にガードバンドを形成するためのものであり、第１及び第２の消去ギャップ８、９は記録トラックの両側を消去するように配置されている。また、消去ヘッド３のコア１０、１１は記録再生用コア５に対する位置関係を正確に設定し、且つ小型化を図るために記録再生用コア５に隣接配置されている。記録再生巻線６の第１の巻線６ａに第１の記録電流Ｉw1を流すために、直流電源端子１５とグランドとの間に第１の巻線６ａと第１の記録用スイッチ１３と定電流化回路１４とが接続され、第２の巻線６ｂに第２の記録電流Ｉw2を流すために、直流電源端子１５とグランドとの間に第２の巻線６ｂと第２の記録用スイッチ１６と定電流化回路１４とが接続されている。また、第１及び第２の巻線６ａ、６ｂの直列回路に対して並列に抵抗Ｒが接続されている。
消去巻線１２に消去電流Ｉe を流すために、直流電源端子１９とグランドとの間に消去用巻線１２と消去用スイッチ１７と、定電流化回路１８とが接続されている。
【０００４】
磁気ヘッド組立体１はフロッピーディスク２０に接触するように配置され且つモータ２１によって回転される。また、磁気ヘッド組立体１は、図示されていない周知のキャリッジに支持されてディスク２０の半径方向にステップ移動される。この結果、図２に概略的に示すようにディスク２０上にトラックＴ1 、Ｔ2 、Ｔ3 が周知のガードバンドを有して同心円状に形成される。
【０００５】
【発明が解決しようとする課題】
ところで、近年ＦＤＤの薄型化及び小型化が図られており、磁気ヘッド組立体１の小型化も図られている。これにより、記録再生ヘッド２で発生した磁束が消去ヘッド３に影響を及ぼすようになった。図３はこれを説明するためのものであって、図３（Ａ）に示す高レベル（Ｈ）と低レベル（Ｌ）との２値の記録データに基づいて図３（Ｂ）（Ｃ）に示すように第１及び第２の巻線６ａ、６ｂに電流Ｉw1、Ｉw2を交互に流すと、コア５に第１の方向の磁束φw1と第２の方向の磁束φw2とが生じる。記録電流Ｉw1、Ｉw2が急激に変化するｔ1 、ｔ2 、ｔ3 直後においても磁束φw1、φw2も急激に変化し、消去コア１１に洩れ込む磁束も多くなり、消去コア１１の磁束φe が図３（Ｄ）のｔ1 、ｔ2 、ｔ3 の直後に示すように異常に変化する。即ち、時間幅Ｔa の三角波状の凸部と凹部が消去磁束φe に生じる。このような消去磁束φe の異常変化が生じると、ここでの正常な消去が不可能になり、図２のトラックＴ2 に説明的に示すように消去不良又は過消去領域ｅが発生し、記録トラックとガードバンドとの境界の直線性が悪くなり、データの再生品質が低下する。
【０００６】
そこで、本発明の目的は、記録ヘッドの磁束の消去ヘッドに対する干渉を容易に軽減することができる磁気ディスク装置を提供することにある。
【０００７】
【課題を解決するための手段】
上記課題を解決し、上記目的を達成するための本発明は、記録媒体磁気ディスクにデータを記録するための記録ヘッドと、前記記録ヘッドによって記録されたトラックの少なくとも一方の側を消去するために前記記録ヘッドに隣接配置された消去ヘッドと、２値信号から成る記録データを供給する記録データ供給手段と、前記記録データが第１の値から第２の値に変化する毎に前記ディスクにおける磁化方向が切り換わるように前記記録データに基づいて記録電流を前記記録ヘッドに供給する記録電流供給手段と、前記消去ヘッドに消去電流を供給する消去電流供給手段と、前記記録電流に基づく前記記録ヘッドにおける記録磁束の洩れに起因した前記消去ヘッドの磁束の増加及び減少に対応して、記録データの切り替わりタイミングから所定時間、消去電流をそれぞれ減少及び増加させることによって、前記消去ヘッドの磁束の増加及び減少を打ち消すように前記消去電流を制御する消去電流制御回路とを備えた磁気ディスク装置に係わるものである。
【０００８】
なお、請求項２に示すように、前記記録ヘッドは、第１の方向の磁束を発生させるための第１の巻線と、前記第１の方向と反対の第２の方向の磁束を発生させるための第２の巻線とを有するものであり、前記記録電流供給手段は、フリップフロップと電源と第１及び第２のスイッチと抵抗を有し、前記フリップフロップは前記記録データ供給手段に接続された入力端子と前記記録データが前記第１の値から前記第２の値に変化する毎に第１の状態から第２の状態に変化する出力信号を送出する第１の出力端子と前記第１の出力端子の出力信号と逆位相の出力信号を送出する第２の出力端子とを有し、前記第１のスイッチは前記電源と前記第１の巻線との間に接続され且つ前記フリップフロップの前記第１の出力端子の信号に応答してオン・オフし、前記第２のスイッチは前記電源と前記第２の巻線との間に接続され且つ前記フリップフロップの前記第２の出力端子の信号に応答してオン・オフし、前記抵抗は前記第１及び第２の巻線の直列回路に対して並列に接続され、前記消去電流制御回路は、前記フリップフロップの前記第１及び第２の出力端子に接続された第１及び第２のタイマ回路と、前記第１及び第２のタイマ回路に接続された消去電流設定回路とから成り、前記第１及び第２のタイマ回路は前記記録磁束の洩れに起因した前記消去ヘッドの前記磁束の変化を打ち消すための前記補償電流を流す時間を決定するものであり、前記消去電流設定回路は、前記第１及び第２のタイマ回路で決定された時間に前記磁束の増加及び減少に対応して、記録データの切り替わりタイミングから所定時間、消去電流をそれぞれ減少及び増加させることによって、前記消去ヘッドの磁束の増加及び減少を打ち消すように前記消去電流を制御するものであることが望ましい。
【０００９】
【発明の効果】
本発明の各請求項の発明によれば、記録磁束の洩れに起因した消去ヘッドの磁束の増加及び減少に対応して、記録データの切り替わりタイミングから所定時間、消去電流をそれぞれ減少及び増加させることによって、前記消去ヘッドの磁束の増加及び減少を打ち消すように消去電流を制御するので、消去不良を容易に防ぐことができる。この結果、消去不良に基づくノイズを低減して再生品質を高めることができる。
また、請求項２の発明によれば、記録用フリップフロップの出力を使用して補償された消去電流を容易に流すことが可能になる。
【００１０】
【実施形態】
次に、図４及び図５を参照して本発明の実施形態に係わる磁気ディスク装置としてＦＤＤを説明する。
【００１１】
図４のＦＤＤは、消去電流の補償手段即ち消去電流制御回路を除いて図１の従来のＦＤＤと同様に形成されている。図４のＦＤＤの磁気ヘッド組立体１は、図１及び図２の磁気ヘッド組立体１と同一に構成されているので、同一部分に同一符号が付されている。なお、この実施形態の説明においても図２も参照する。
磁気ヘッド組立体１は、記録再生ヘッド２と消去ヘッド３とから成る。記録再生ヘッド２は記録再生用ギャップ４を有する磁気コア５と、このコア５に巻回された記録再生用巻線６とから成る。巻線６はセンタタップ７によって第１及び第２の巻線６ａ、６ｂに分割されている。
【００１２】
消去ヘッド３は第１及び第２の消去ギャツプ８、９を有する第１及び第２の消去コア１０、１１と、これ等のコア１０、１１に巻回された消去用巻線１２とから成る。消去ヘッド３は周知のように記録トラックの両側にガードバンドを形成するためのものであり、第１及び第２の消去ギャップ８、９は記録トラックの両側を消去するように配置されている。また、消去ヘッド３のコア１０、１１は記録再生用コア５に対する位置関係を正確に設定し、且つ小型化を図るために記録再生用コア５に隣接配置されている。
【００１３】
記録再生ヘッド２はフリップフロップ３１と、記録開始信号形成回路３３と、第１及び第２の記録用スイッチ１３、１６と、定電流化回路１４と、直流電源端子１５と、抵抗Ｒとから成る周知の記録電流供給手段に接続されている。図４において再生回路は省略されている。消去ヘッド３には、消去用スイッチ１７と電源端子１９とから成る消去電流供給手段が本発明に従う消去電流制御回路３０を介して接続されている。
【００１４】
記録再生巻線６の第１の巻線６ａに第１の記録電流Ｉw1を流すために、直流電流電源端子１５とグランドとの間に第１の巻線６ａと第１の記録用スイッチ１３と定電流化回路１４とが接続され、第２の巻線６ｂに第２の記録電流Ｉw2を流すために、直流電源端子１５とグランドとの間に第２の巻線６ｂと第２の記録用スイッチ１６と定電流化回路１４とが接続されている。また、第１及び第２の巻線６ａ、６ｂの直列回路に対して並列に抵抗Ｒが接続されている。
消去巻線１２に消去電流Ｉe を流すために、直流電源端子１９とグランドとの間に消去用巻線１２と消去用スイッチ１７と、本発明に従う消去電流制御回路３０とが接続されている。
【００１５】
磁気ヘッド組立体１は図１と同様にフロッピーディスク２０に接触するように配置され且つモータ２１によって回転される。また、磁気ヘッド組立体１は、図示されていない周知のキャリッジに支持されてディスク２０の半径方向にステップ移動される。この結果、図２に概略的に示すようにディスク２０上にトラックＴ1 、Ｔ2 、Ｔ3 が周知のガードバンドを有して同心円状に形成される。
【００１６】
Ｄ型フリップフロップ３１は、記録再生ヘッド２に供給する記録電流を記録データ即ちライトデータによって制御するために設けられている。このフリップフロップ３１のクロック入力端子ＣＫは図５（Ａ）に示す記録データを供給する記録データ供給手段としての端子３２に接続されている。フリップフロップ３１のクリア端子ＣＬは記録開始信号形成回路３３に接続されている。記録開始信号形成回路３３は周知のライトゲート信号入力端子３４に接続され、周知のライトゲート信号の立上りに同期して一定時間幅のパルスから成る記録開始信号ＷＲＳＴを出力する。フリップフロップ３１のデータ入力端子Ｄはこの位相反転出力端子Ｑ−に接続されている。フリップフロップ３１の正相出力端子Ｑはトランジスタから成る第２の記録用用スイッチ１６の制御端子としてのベースに接続され、位相反転出力端子Ｑ−はトランジスタから成る第１の記録用スイッチ１３の制御端子としてのベースに接続されている。
【００１７】
トランジスタから成る消去用スイッチ１７の制御端子としてのベースは周知の遅延回路３５を介してライトゲート信号入力端子３４に接続されている。遅延回路３５は図２の記録再生ギャップ４の位置と消去ギャップ８、９の位置の差に相当する遅延を得るように設定されている、消去巻線１２と消去スイッチ１７と消去電流制御回路３０との直列回路は電源端子２９とグランドとの間に接続されている。
【００１８】
消去電流制御回路３０は、定電流化回路を構成するための抵抗３６とＦＥＴから成る電流制御素子３７とを有する。電流制御素子３７は、この制御端子の信号レベルに対応する消去電流Ｉe を流すものであって、抵抗３６と消去スイッチ１７とを介して消去巻線１２に直列に接続されている。消去電流Ｉe を流すための定電流化回路は図４の回路に限定されるものでなく、種々変形可能なものであり、バイポーラトランジスタ、オペアンプ等を使用して構成することもできる。電流制御素子３７を制御するために抵抗Ｒ1 、Ｒ2 、Ｒ3 、Ｒ4 、第１及び第２の補正用スイッチＳ1 、Ｓ2 、モノマルチバイブレータ（ＭＭＶ）から成る第１及び第２のタイマ３８、３９が設けられている。第１の抵抗Ｒ1 は直流電源端子４０と電流制御素子３７の制御端子との間に接続されている。第２及び第３の抵抗Ｒ2 、Ｒ3 は電流制御素子３７の制御端子とグランドとの間に接続されている。第４の抵抗Ｒ4 は第１の補正用スイッチＳ1 を介して電流制御素子３７の制御端子とグランドとの間に接続されている。第２の補正用スイッチＳ2 は第３の抵抗Ｒ3 に並列に接続されている。第１の補正用スイッチＳ1 は常時にオフ、補正電流を流す時にオンになる。第２の補正用スイッチＳ2 は常時にオン、補正電流を流す時にオフになる。第１の補正用スイッチＳ1 がオンになると、第４の抵抗Ｒ4 が接続されるために電流制御素子３７の制御電圧が低くなり、消去電流Ｉeが減少する。第２の補正用スイッチＳ2 がオフになると、第３の抵抗Ｒ3が第２の抵抗Ｒ2 に直列に接続されるために制御電圧が高くなり、消去電流Ｉe が増大する。
【００１９】
フリップフロップ３１の正相出力端子Ｑに接続された第１のタイマ３８は、図５（Ｂ）のパルスの立下りに同期して図５（Ｆ）に示す時間幅Ｔb の正パルスを発生する。フリップフロップ３１の反転出力端子Ｑ−に接続された第２のタイマ３９は、図５（Ｃ）のパルスの立下りに同期して図５（Ｇ）に示す時間幅Ｔb の負パルスを発生する。第１及び第２のタイマ３８、３９の正及び負パルスの時間幅Ｔb は、図３（Ｄ）に示す磁束が記録磁束φw1、φw2に起因して異常に変化する時間幅Ｔa の約半分に相当している。なお、図５のｔ1 、ｔ2 、ｔ3 は図３のｔ1 、ｔ2 、ｔ3 と同一時点を示している。
【００２０】
【動作】
図５のｔ1 時点で記録データ供給手段としての端子３２から記録データＷＤが供給され、このデータＷＤが第１の状態である高レベル（Ｈ）から第２の状態である低レベル（Ｌ）に転換すると、フリップフロップ３１の正相出力端子Ｑが図５（Ｂ）に示すように高レベルから低レベルに転換し、反転出力端子Ｑ−が図５（Ｃ）に示すように低レベル（Ｌ）から高レベル（Ｈ）に転換する。この結果、第１の記録用スイッチ１３がオン、第２の記録用スイッチ１６がオフになる。これと同時にＭＭＶから成る第１のタイマ３８がトリガされ、図５（Ｆ）に示す時間幅Ｔb のパルスを発生し、第１の補正用スイッチＳ1 がオンになる。この結果、第４の抵抗Ｒ4 が第２の抵抗Ｒ2 に対して並列に接続され、制御信号の電圧レベルが低下し、電流制御素子３７のインピーダンスが高くなり、消去電流Ｉe のレベルが図５（Ｈ）に示すように低下する。消去コイル１２はインダクタンスを有するので、消去電流Ｉe は遅れを有して徐々に低下する。ｔ1 から時間Ｔb が経過して第１の補正用スイッチＳ1 がオフ状態に戻ると、制御信号のレベルも元に戻り、電流制御素子３７のインピーダンスも元に戻る。しかし、消去巻線１２のインダクタンスのために消去電流Ｉe は傾斜を有して元に戻る。図５（Ｈ）のｔ1 直後にＴa で示す電流変化が生じると、消去磁束φe も電流Ｉe に応じて変化する。この結果、図３（Ｄ）に示したｔ1 直後の記録磁束の干渉による消去磁束φe の異常変化を図５（Ｈ）の消去電流Ｉe の変化に基づく磁束変化で相殺することができる。
図５のｔ2 時点では、フリップフロップ３１の正相出力端子Ｑが高レベル（Ｈ）、反転出力端子Ｑ−が低レベル（Ｌ）になり、電流Ｉw1、Ｉw2が図５（Ｄ）（Ｂ）に示すように変化し、また、第２のタイマ３９がトリガされて図５（Ｇ）に示すようにｔ2 直後に時間幅Ｔb の負パルスを発生する。この結果、第２の補正用スイッチＳ2 がオフになり、第３の抵抗Ｒ3 が第２の抵抗Ｒ2 に直列に接続され、制御信号のレベルが高くなり、電流制御素子３７のインピーダンスが低くなり、消去電流Ｉe が図５（Ｈ）に傾斜を有して増大する。ｔ2 時点からＴb 後に第２の補正用スイッチＳ2 がオンに戻ると、制御信号のレベルも元に戻り、電流制御素子３７のインピーダンスも元に戻り、消去電流Ｉe は遅れを有して元に戻る。これにより、図３（Ｄ）のｔ2 直後の消去磁束φe の落ち込みを図５（Ｈ）のｔ2 直後の消去電流Ｉe の増大によって補償することができる。
【００２１】
上述から明らかなように、図２の実施形態によれば、記録磁束の干渉による消去の非直線性を容易に補正することができる。
【００２２】
【変形例】
本発明は上述の実施形態に限定されるものでなく、例えば次の変形が可能なものである。
（１）  図６に示すように電源端子４０と電流制御素子３７の制御端子との間に第１及び第２の抵抗Ｒ1 、Ｒ2 を接続し、制御端子とグランドとの間に第３及び第４の抵抗Ｒ3 、Ｒ4 を接続し、第１の補正用スイッチＳ1 を第４の抵抗Ｒ4 に並列に接続し、第２の抵抗Ｒ2 に第２の補正用スイッチＳ2 を並列に接続し、第１のタイマとしてのＭＭＶ３８から図７（Ａ）のパルスを発生させ、第２のタイマとしてのＭＭＶ３９ａから図７（Ｂ）のパルスを発生させ、第１及び第２の補正用スイッチＳ1 、Ｓ2 の選択的オンによって図５のｔ1 及びｔ2 直後と同様な補正を行うことができる。
（２）  消去スイッチ１７を省き、この機能を電流制御素子３７に兼ねさせることができる。
（３）  電流制御素子３７をバイポーラトランジスタ等の別の制御素子にすることができる。
（４）  第１及び第２のタイマ３８、３９の時間幅Ｔb を任意に変えるように構成することができる。タイマ３８、３９の出力パルスの幅Ｔb はＴa 以下に抑えることが望ましい。
（５）  図５（Ｈ）のｔ1 、ｔ2 、ｔ3 直後の補正電流の波形を調整する手段（例えば時定数回路）を制御素子３７の制御端子に接続することができる。
【図面の簡単な説明】
【図１】従来の磁気ヘッド組立体及び記録電流と消去電流の供給回路を示す図である。
【図２】磁気ヘッド組立体とトラックとを示す平面図である。
【図３】図１の各部の状態を示す波形図である。
【図４】本発明の実施形態に従う磁気ヘッド組立体及び記録電流供給回路及び消去電流供給及び制御回路を示す図である。
【図５】図４の各部の状態を示す波形図である。
【図６】変形例の消去電流制御回路を示す回路図である。
【図７】図６の第１及び第２のタイマの出力を示す波形図である。
【符号の説明】
１  ヘッド組立体
２  記録再生ヘッド
３  消去ヘッド
３０  消去電流制御回路
３７  電流制御素子
３８、３９  タイマ
Ｓ1 、Ｓ2   補正用スイッチ
【図１】
0003786179.tif 000002
【図２】
0003786179.tif 000003
【図３】
0003786179.tif 000004
【図４】
0003786179.tif 000005
【図５】
0003786179.tif 000006
【図６】
0003786179.tif 000007
【図７】
0003786179.tif 000008